(57)【要約】【課題】作業者による次にピックアップまたは保管すべき物品の判断を容易にする。【解決手段】物品ごとに当該物品が格納されている場所の情報を関連付けて記憶するマスタデータベース１１１、払い出しまたは格納すべき物品の一覧を記憶する対象物品記憶部１１２、対象物品記憶部１１２が記憶する物品のうち、マスタデータベース１１１において作業者の位置に最も近い場所に関連付けられたものを特定する対象物品特定部１１３、対象物品特定部１１３が特定した物品が格納された場所を表示する表示部１２２を備える。【選択図】図１
2014156299.tif 000002
【特許請求の範囲】
【請求項１】
物品ごとに当該物品が格納されている場所の情報を関連付けて記憶するマスタデータベースと、
払い出しまたは格納すべき物品の一覧を記憶する対象物品記憶部と、
前記対象物品記憶部が記憶する物品のうち、前記マスタデータベースにおいて作業者の位置に最も近い場所に関連付けられたものを特定する対象物品特定部と、
前記対象物品特定部が特定した物品が格納された場所を表示する表示部と
を備え、
前記表示部は作業者が携帯する携帯端末に設けられる
ことを特徴とする物品管理システム。
【請求項２】
前記マスタデータベースは、前記物品の識別情報を、当該識別情報が示す物品及び当該物品が格納されている場所に関連付けて記憶し、
前記識別情報を読み取る前記携帯端末に設けられた読み取り部と、
前記読み取り部が読み取った識別情報に関連付けられた物品を、前記対象物品記憶部が記憶する物品の一覧から削除する対象物品削除部と
を備え、
前記対象物品特定部は、前記読み取り部が読み取った識別情報に関連付けられた場所を前記作業者の位置として、前記物品を特定する
ことを特徴とする請求項１に記載の物品管理システム。
【請求項３】
前記対象物品特定部は、前記対象物品記憶部が記憶する物品のうち、前記マスタデータベースにおいて作業者の位置に最も近い場所に関連付けられたものが複数存在する場合は、当該物品の場所から最も近い場所に存在する物品までの距離が最も短いものを特定する
ことを特徴とする請求項１または請求項２に記載の物品管理システム。
【請求項４】
前記マスタデータベースは、前記物品が格納されている場所の情報として、前記物品が格納される倉庫を多角形のエリアで充填したときに、当該場所を含むエリアの位置を記憶し、
前記対象物品特定部は、前記対象物品記憶部が記憶する物品のうち、前記作業者の位置を含むエリアから、隣接するエリアを辿って、前記マスタデータベースが記憶する当該物品が格納されているエリアまで移動する場合に、辿る必要があるエリアの数が最小となる物品を特定する
ことを特徴とする請求項１から請求項３の何れか１項に記載の物品管理システム。
【請求項５】
前記マスタデータベースは、前記エリアに関連付けて、隣接するエリアそれぞれの移動可否を記憶し、
前記対象物品特定部は、前記対象物品記憶部が記憶する物品のうち、前記作業者の位置を含むエリアから、隣接する移動可能なエリアを辿って、前記マスタデータベースが記憶する当該物品が格納されているエリアまで移動する場合に、辿る必要があるエリアの数が最小となる物品を特定する
ことを特徴とする請求項４に記載の物品管理システム。
【請求項６】
前記対象物品記憶部が記憶する物品の一覧に新たに物品を追加する対象物品追加部を備えることを特徴とする請求項１から請求項５の何れか１項に記載の物品管理システム。
【請求項７】
前記マスタデータベースは、前記物品の識別情報に加えて、所定の場所を示す識別情報を、当該場所に関連付けて記憶する
ことを特徴とする請求項２に記載の物品管理システム。
【請求項８】
前記対象物品特定部は、前記対象物品記憶部が記憶する物品のうち、前記マスタデータベースにおいて作業者の位置に最も近い場所に関連付けられたものを特定した後、当該特定した物品の位置を作業者の位置として、前記対象物品記憶部が記憶する物品のうち特定されていない物品を順次特定し、
前記表示部は、前記対象物品特定部が特定した物品が格納された場所を、特定した順に関連付けて表示する
ことを特徴とする請求項１から請求項７の何れか１項に記載の物品管理システム。
【請求項９】
作業者が携帯する携帯端末を備える物品管理システムを用いた物品管理方法であって、
対象物品特定部は、払い出しまたは格納すべき物品の一覧を記憶する対象物品記憶部が記憶する物品のうち、物品ごとに当該物品が格納されている場所の情報を関連付けて記憶するマスタデータベースにおいて作業者の位置に最も近い場所に関連付けられた物品を特定し、
前記携帯端末の表示部は、前記対象物品特定部が特定した物品が格納された場所を表示する
ことを特徴とする物品管理方法。
【請求項１０】
物品ごとに当該物品が格納されている場所の情報を関連付けて記憶するマスタデータベースと、
払い出しまたは格納すべき物品の一覧を記憶する対象物品記憶部と、
前記対象物品記憶部が記憶する物品のうち、前記マスタデータベースにおいて作業者の位置に最も近い場所に関連付けられたものを特定する対象物品特定部と、
前記対象物品特定部が特定した物品が格納された場所を作業者が携帯する携帯端末に表示させる表示情報出力部と
を備えることを特徴とする物品管理装置。
【請求項１１】
コンピュータを、
払い出しまたは格納すべき物品の一覧を記憶する対象物品記憶部が記憶する物品のうち、物品ごとに当該物品が格納されている場所の情報を関連付けて記憶するマスタデータベースにおいて作業者の位置に最も近い場所に関連付けられた物品を特定する対象物品特定部、
前記対象物品特定部が特定した物品が格納された場所を作業者が携帯する携帯端末に表示させる表示情報出力部
として機能させるためのプログラム。
【発明の詳細な説明】
【技術分野】
【０００１】
本発明は、倉庫に格納された物品を管理する物品管理システム、物品管理方法、物品管理装置及びプログラムに関する。
【背景技術】
【０００２】
倉庫から製品や部品などの物品を払い出す際、または倉庫へ物品を保管する際に、払い出しまたは保管する物品を管理する物品管理システムが用いられている。
特許文献１には、物品の位置を判別してスタッカクレーンに物品の近い順に払い出しをさせる技術が開示されている。
特許文献２には、払い出す物品のピッキング経路を計算して帳票に出力する技術が開示されている。
特許文献３には、携帯型ＰＣを用いて、物品の在庫情報や保管場所を取得する技術が開示されている。
【先行技術文献】
【特許文献】
【０００３】
【特許文献１】特開平５−１４７７１７号公報
【特許文献２】特開平１０−１６７４２７号公報
【特許文献３】特開２０１１−２０４０３１号公報
【発明の概要】
【発明が解決しようとする課題】
【０００４】
しかしながら、特許文献１に記載の方法は、スタッカクレーンの動作をコントロールするものであり、作業者が物品の払い出しまたは保管を行う場合に適用することができないという問題がある。また、特許文献２に記載の方法は、作業者が帳票に出力された順と異なる順に物品をピックアップしたときに、次にピックアップすべき物品が分からなくなるという問題がある。また、特許文献３に記載の方法を用いる場合、取得した在庫情報や保管場所に基づいて、作業者が効率的に物品の払い出しまたは保管を行う順路を考える必要がある。
本発明の目的は、上述した課題を解決する物品管理システム、物品管理方法、物品管理装置及びプログラムを提供することにある。
【課題を解決するための手段】
【０００５】
本発明は上記の課題を解決するためになされたものであり、物品ごとに当該物品が格納されている場所の情報を関連付けて記憶するマスタデータベースと、払い出しまたは格納すべき物品の一覧を記憶する対象物品記憶部と、前記対象物品記憶部が記憶する物品のうち、前記マスタデータベースにおいて作業者の位置に最も近い場所に関連付けられたものを特定する対象物品特定部と、前記対象物品特定部が特定した物品が格納された場所を表示する表示部とを備え、前記表示部は作業者が携帯する携帯端末に設けられることを特徴とする物品管理システムである。
【０００６】
また、本発明において前記マスタデータベースは、前記物品を示すコードを、当該コードが示す物品及び当該物品が格納されている場所に関連付けて記憶し、前記コードを読み取る前記携帯端末に設けられた読み取り部と、前記読み取り部が読み取ったコードに関連付けられた物品を、前記対象物品記憶部が記憶する物品の一覧から削除する対象物品削除部とを備え、前記対象物品特定部は、前記読み取り部が読み取ったコードに関連付けられた場所を前記作業者の位置として、前記物品を特定することを特徴とする。
【０００７】
また、本発明において前記対象物品特定部は、前記対象物品記憶部が記憶する物品のうち、前記マスタデータベースにおいて作業者の位置に最も近い場所に関連付けられたものが複数存在する場合は、当該物品の場所から最も近い場所に存在する物品までの距離が最も短いものを特定することを特徴とする。
【０００８】
また、本発明において前記マスタデータベースは、前記物品が格納されている場所の情報として、前記物品が格納される倉庫を多角形のエリアで充填したときに、当該場所を含むエリアの位置を記憶し、前記対象物品特定部は、前記対象物品記憶部が記憶する物品のうち、前記作業者の位置を含むエリアから、隣接するエリアを辿って、前記マスタデータベースが記憶する当該物品が格納されているエリアまで移動する場合に、辿る必要があるエリアの数が最小となる物品を特定することを特徴とする。
【０００９】
また、本発明において前記マスタデータベースは、前記エリアに関連付けて、隣接するエリアそれぞれの移動可否を記憶し、前記対象物品特定部は、前記対象物品記憶部が記憶する物品のうち、前記作業者の位置を含むエリアから、隣接する移動可能なエリアを辿って、前記マスタデータベースが記憶する当該物品が格納されているエリアまで移動する場合に、辿る必要があるエリアの数が最小となる物品を特定することを特徴とする。
【００１０】
また、本発明は、前記対象物品記憶部が記憶する物品の一覧に新たに物品を追加する対象物品追加部を備えることを特徴とする。
【００１１】
また、本発明において前記マスタデータベースは、前記物品を示すコードに加えて、所定の場所を示すコードを、当該場所に関連付けて記憶することを特徴とする。
【００１２】
また、本発明において前記対象物品特定部は、前記対象物品記憶部が記憶する物品のうち、前記マスタデータベースにおいて作業者の位置に最も近い場所に関連付けられたものを特定した後、当該特定した物品の位置を作業者の位置として、前記対象物品記憶部が記憶する物品のうち特定されていない物品を順次特定し、前記表示部は、前記対象物品特定部が特定した物品が格納された場所を、特定した順に関連付けて表示することを特徴とする。
【００１３】
また、本発明は、作業者が携帯する携帯端末を備える物品管理システムを用いた物品管理方法であって、対象物品特定部は、払い出しまたは格納すべき物品の一覧を記憶する対象物品記憶部が記憶する物品のうち、物品ごとに当該物品が格納されている場所の情報を関連付けて記憶するマスタデータベースにおいて作業者の位置に最も近い場所に関連付けられた物品を特定し、前記携帯端末の表示部は、前記対象物品特定部が特定した物品が格納された場所を表示することを特徴とする。
【００１４】
また、本発明は、物品ごとに当該物品が格納されている場所の情報を関連付けて記憶するマスタデータベースと、払い出しまたは格納すべき物品の一覧を記憶する対象物品記憶部と、前記対象物品記憶部が記憶する物品のうち、前記マスタデータベースにおいて作業者の位置に最も近い場所に関連付けられたものを特定する対象物品特定部と、前記対象物品特定部が特定した物品が格納された場所を作業者が携帯する携帯端末に表示させる表示情報出力部とを備えることを特徴とする物品管理装置である。
【００１５】
また、本発明は、コンピュータを、払い出しまたは格納すべき物品の一覧を記憶する対象物品記憶部が記憶する物品のうち、物品ごとに当該物品が格納されている場所の情報を関連付けて記憶するマスタデータベースにおいて作業者の位置に最も近い場所に関連付けられた物品を特定する対象物品特定部、前記対象物品特定部が特定した物品が格納された場所を作業者が携帯する携帯端末に表示させる表示情報出力部として機能させるためのプログラムである。
【発明の効果】
【００１６】
本発明によれば、作業者の位置に最も近い物品が携帯端末に逐次表示されるので、作業者は、次にピックアップまたは保管すべき物品を容易に判断することができる。
【図面の簡単な説明】
【００１７】
【図１】本発明の第１の実施形態に係る物品管理システムの管理対象となる倉庫の構成の一例を示す図である。
【図２】本発明の第１の実施形態に係るマスタデータベースが記憶する情報の一例を示す図である。
【図３】本発明の第１の実施形態に係る物品管理システムの動作を示すフローチャートである。
【図４】本発明の第１の実施形態に係る対象物品探索処理の動作を示すフローチャートである。
【図５】本発明の第２の実施形態に係るマスタデータベースが記憶するエリアマスタテーブルの例を示す図である。
【図６】本発明の第３の実施形態に係る表示情報出力部が生成する表示情報の例を示す図である。
【発明を実施するための形態】
【００１８】
《第１の実施形態》
以下、図面を参照しながら本発明の実施形態について詳しく説明する。
本発明の第１の実施形態に係る物品管理システム１００は、倉庫に格納された物品を払いだす際に、作業者にピックアップまたは保管すべき物品の順番を提示するものである。
【００１９】
図１は、本発明の第１の実施形態に係る物品管理システム１００の管理対象となる倉庫の構成の一例を示す図である。
物品管理システム１００は、物品管理装置１１０と、作業者が携帯する携帯端末１２０とを備える。物品管理装置１１０は、倉庫に格納される物品の管理を行う。また、携帯端末１２０は、物品の払い出しまたは保管の際に、作業者の入出力のインターフェースとして機能するハンディターミナルであって、ＬＣＤ（Ｌｉｑｕｉｄ  Ｃｒｙｓｔａｌ  Ｄｉｓｐｌａｙ）などの小型のディスプレイを備える。なお、携帯端末１２０は１台であっても良いし、複数台であっても良い。
【００２０】
物品管理装置１１０は、マスタデータベース１１１、対象物品記憶部１１２、対象物品特定部１１３、表示情報出力部１１４、識別情報入力部１１５、対象物品削除部１１６、対象物品追加部１１７を備える。
マスタデータベース１１１は、倉庫内の物品のマスタ情報を記憶する。具体的には、マスタデータベース１１１は、物品ごとに当該物品の識別情報、倉庫内に格納されている物品の場所、当該物品が格納される棚の棚番号を記憶する。
対象物品記憶部１１２は、払い出しまたは保管の対象となる物品の一覧を記憶する。
【００２１】
対象物品特定部１１３は、作業者の位置とマスタデータベース１１１とに基づいて、対象物品記憶部１１２が記憶する一覧の中から、次に作業者が払い出しまたは保管を行うべき物品を特定する。
表示情報出力部１１４は、対象物品特定部１１３が特定した物品の場所を表示情報として、無線通信により携帯端末１２０に出力する。
【００２２】
識別情報入力部１１５は、携帯端末１２０から無線通信により識別情報の入力を受け付ける。
対象物品削除部１１６は、対象物品記憶部１１２が、識別情報入力部１１５が受け付けた識別情報が示す物品を記憶している場合に、当該物品を対象物品記憶部１１２から削除する。
対象物品追加部１１７は、払い出しまたは保管の対象となる物品が追加された場合に、当該物品を対象物品記憶部１１２が記憶する一覧に追加する。
【００２３】
携帯端末１２０は、表示情報入力部１２１、表示部１２２、読み取り部１２３、識別情報出力部１２４を備える。
表示情報入力部１２１は、物品管理装置１１０から無線通信により表示情報の入力を受け付ける。
表示部１２２は、表示情報入力部１２１が受け付けた表示情報を表示する。
読み取り部１２３は、倉庫内の物品に貼付された二次元コード（識別子）から、当該物品の識別情報を読み取る。なお、本実施形態では、識別情報を読み取るための識別子として二次元コードを用いる場合について説明するが、これに限られず、ＲＦＩＤ（Ｒａｄｉｏ  Ｆｒｅｑｕｅｎｃｙ  ＩＤｅｎｔｉｆｉｃａｔｉｏｎ）タグなど他の識別子を用いても良い。
識別情報出力部１２４は、読み取り部１２３が読み取った識別情報を、無線通信により物品管理装置１１０に出力する。
【００２４】
なお、本実施形態では、物品の識別情報を示す二次元コードは、倉庫内の物品に貼付され、作業者が物品をピックアップまたは保管する際に、携帯端末１２０に当該物品に貼付された二次元コードから識別情報を読み取らせる例について説明する。但し、実施形態はこれに限られず、作業者が払い出しまたは保管をすべき全ての物品の一覧とその二次元コードが印刷された紙を持ち歩き、ピックアップまたは保管したときにその物品の二次元コードから識別情報を読み取らせるようにしても良い。
【００２５】
なお、本実施形態において二次元コードは、物品に限られず例えば倉庫の入口や柱や棚などにも貼付される。マスタデータベース１１１は、物品以外のものに貼付された二次元コードが示す識別情報に関連付けて、当該二次元コードが貼付された場所を記憶する。すなわち、マスタデータベース１１１は、場所を示す識別情報を記憶する。
【００２６】
図２は、本発明の第１の実施形態に係るマスタデータベース１１１が記憶する情報の一例を示す図である。
マスタデータベース１１１は、物品の情報を格納する物品マスタテーブルと、倉庫の場所の情報を格納するエリアマスタテーブルとを記憶する。
物品マスタテーブルは、図２（Ａ）に示すように、物品ごとに、また二次元コードが貼付された場所ごとに、当該物品または場所を示す識別情報と、物品が格納される保管棚の棚番号とを格納する。
【００２７】
エリアマスタテーブルは、図２（Ｂ）に示すように、倉庫エリアに関連付けて、当該エリアに存在する保管棚の棚番号と、当該エリアに貼付された二次元コードが示す識別情報を格納する。
なお、倉庫エリアとは、図２（Ｃ）に示すように、倉庫を、当該倉庫を充填する正方形のエリアに区切ったときの各エリアを示す情報である。当該正方形のエリアは、直交するＸ軸とＹ軸に平行な直線で、倉庫を分割したものである。なお、本実施形態ではエリアとして倉庫を充填する正方形を例に説明したが、これに限られず、正三角形や正六角形や長方形など、平面を充填する多角形であれば、他の多角形でも良い。
【００２８】
次に、第１の実施形態に係る物品管理システム１００の動作について説明する。なお、本実施形態では、物品の払い出しを行う際の動作について説明するが、保管を行う際も同様の動作を行う。
【００２９】
図３は、本発明の第１の実施形態に係る物品管理システム１００の動作を示すフローチャートである。
作業者が携帯端末１２０を携帯して倉庫内の物品の払い出しを開始すると、作業者は、携帯端末１２０に、現在地点の近くに存在する二次元コードを読み取らせる。これにより、携帯端末１２０の読み取り部１２３は、二次元コードから識別情報を読み取る（ステップＳ１）。
【００３０】
読み取り部１２３が識別情報を読み取ると、識別情報出力部１２４は、当該識別情報を物品管理装置１１０に出力する。物品管理装置１１０の識別情報入力部１１５が識別情報の入力を受け付けると、対象物品削除部１１６は、対象物品記憶部１１２が記憶する一覧に、当該識別情報が示す商品が含まれるか否かを判定する（ステップＳ２）。対象物品削除部１１６は、対象物品記憶部１１２が記憶する一覧に識別情報が示す商品が含まれると判定した場合（ステップＳ２：ＹＥＳ）、当該一覧から当該商品を削除する（ステップＳ３）。
【００３１】
対象物品記憶部１１２が記憶する一覧に、当該識別情報が示す商品が含まれない場合（ステップＳ２：ＮＯ）、またはステップＳ３で当該商品を削除した場合、対象物品特定部１１３は、マスタデータベース１１１が記憶するエリアマスタテーブルから、当該識別情報に関連付けられた倉庫エリアがあるか否かを判定する（ステップＳ４）。対象物品特定部１１３は、当該識別情報に関連付けられた倉庫エリアがあると判定した場合（ステップＳ４：ＹＥＳ）、エリアマスタテーブルから当該倉庫エリアを読み出す（ステップＳ５）。
【００３２】
他方、対象物品特定部１１３は、当該識別情報に関連付けられた倉庫エリアがないと判定した場合（ステップＳ４：ＮＯ）、マスタデータベース１１１が記憶する物品マスタテーブルから、当該識別情報に関連付けられた棚番号を読み出し、さらにエリアマスタテーブルから当該棚番号に関連付けられた倉庫エリアを読み出す（ステップＳ６）。
【００３３】
対象物品特定部１１３は、ステップＳ５またはステップＳ６で倉庫エリアを読み出すと、当該倉庫エリア、すなわち作業者の位置を始点として、対象物品探索処理を実行する（ステップＳ７）。対象物品探索処理とは、対象物品記憶部１１２が記憶する物品のうち、当該倉庫エリアに最も近い場所に関連付けられたものを探索する処理である。
【００３４】
ここで、対象物品探索処理の詳細な動作について説明する。
図４は、本発明の第１の実施形態に係る対象物品探索処理の動作を示すフローチャートである。
まず、対象物品特定部１１３は、エリアマスタテーブルにおいて指定された倉庫エリアに関連付けられた棚番号があるか否かを判定する（ステップＳ７１）。対象物品特定部１１３は、当該倉庫エリアに関連付けられた棚番号があると判定した場合（ステップＳ７１：ＹＥＳ）、当該棚番号に関連付けられた物品を物品マスタテーブルから読み出す（ステップＳ７２）。次に、対象物品特定部１１３は、対象物品記憶部１１２が記憶する一覧の中に読み出した物品があるか否かを判定する（ステップＳ７３）。
【００３５】
対象物品特定部１１３は、読み出した物品が一覧にないと判定した場合（ステップＳ７３：ＮＯ）またはステップＳ７１で倉庫エリアに関連付けられた棚番号がないと判定した場合（ステップＳ７１：ＮＯ）、当該倉庫エリアに隣接する倉庫エリアを指定する（ステップＳ７４）。そして、ステップＳ７１に戻り、指定した各倉庫エリアについて判定処理を行う。
他方、ステップＳ７３において対象物品特定部１１３が、読み出した物品が一覧にあると判定した場合（ステップＳ７３：ＹＥＳ）、当該物品を、対象物品として特定し、もとのフローに処理を戻す。
【００３６】
つまり、対象物品探索処理を実行することで、対象物品特定部１１３は、対象物品記憶部１１２が記憶する物品のうち、指定されたエリアから、隣接するエリアを辿って、当該物品が格納されているエリアまで移動する場合に、辿る必要があるエリアの数が最小となる物品を特定することができる。
【００３７】
対象物品特定部１１３は、ステップＳ７の対象物品探索処理により特定された物品が異なるエリアに格納されているか否かを判定する（ステップＳ８）。対象物品特定部１１３は、一覧にある物品が同じエリアに格納されていると判定した場合（ステップＳ８：ＮＯ）、当該エリアに存在する物品を、払い出しの対象の物品として特定する（ステップＳ９）。
【００３８】
他方、対象物品特定部１１３は、一覧にある物品が異なるエリアに格納されていると判定した場合（ステップＳ８：ＹＥＳ）、当該物品が格納されたエリアそれぞれを始点として対象物品探索処理を実行する（ステップＳ１０）。そして、対象物品特定部１１３は、ステップＳ１０で始点とした倉庫エリアから、対象物品探索処理によって特定された物品が格納された倉庫エリアまでに経由する倉庫エリアの数が少ないほうの物品を、払い出しの対象の物品として特定する（ステップＳ１１）。
【００３９】
次に、表示情報出力部１１４は、対象物品特定部１１３が特定した物品が格納される場所を示す表示情報を生成し、携帯端末１２０に出力する。なお、表示情報には、例えば、物品番号、名称、及び保管棚の棚番号（物品が格納された場所）が含まれると良い。携帯端末１２０の表示情報入力部１２１が表示情報の入力を受け付けると、表示部１２２は、当該表示情報を表示する（ステップＳ１２）。
【００４０】
作業者は、携帯端末１２０に表示された保管棚まで移動し、物品をピックアップすると、当該物品に貼付されている二次元コードを携帯端末１２０に読み取らせる。これにより、上記ステップＳ１〜ステップＳ１２の処理が再度実行され、携帯端末１２０には次の物品の場所が表示される。
【００４１】
また、本実施形態によれば、作業者が物品の払い出し作業を行っている間に新たに払い出しの対象となる物品が増えた場合、管理者は物品管理装置１１０に対象となる物品の情報を入力する。これにより、物品管理装置１１０の対象物品追加部１１７は、対象物品記憶部１１２が記憶する一覧に当該物品を追加する。この場合にも、携帯端末１２０が次に二次元コードを読み取った際に、物品管理装置１１０が、新たな物品が追加された一覧に基づいて表示情報を生成する。これにより、物品管理システム１００は、追加された物品を含めて、最短のピックアップ経路を作業者に提示することができる。
【００４２】
また、本実施形態によれば、作業者が、対象物品記憶部１１２が記憶する一覧に格納された物品のうち、携帯端末１２０に表示されていない物品をピックアップした場合にも、対象物品削除部１１６が当該物品を一覧から削除して新たに経路を探索する。これにより、物品管理システム１００は、作業者が携帯端末１２０に表示されていない物品をピックアップした場合にも、最短のピックアップ経路を作業者に提示することができる。
【００４３】
また、本実施形態によれば、二次元コードが物品以外にも貼付され、当該二次元コードが示す識別情報と当該貼付された場所とが関連付けられている。これにより、休憩をしていた作業者が保管棚の無い場所から作業を再開する場合にも、当該場所に貼付された二次元コードを携帯端末１２０に読み取らせることで、物品管理システム１００は、適切な経路を作業者に提示することができる。
【００４４】
《第２の実施形態》
次に、本発明の第２の実施形態について説明する。
第２の実施形態に係る物品管理システム１００は、マスタデータベース１１１が記憶するエリアマスタテーブルの構成及び対象物品特定部１１３の動作が第１の実施形態と異なる。
【００４５】
図５は、本発明の第２の実施形態に係るマスタデータベース１１１が記憶するエリアマスタテーブルの例を示す図である。
第２の実施形態に係るエリアマスタテーブルは、倉庫エリア、棚番号、識別情報に加えて、隣接するエリアへの移動条件を記憶する。図５によれば、エリアマスタテーブルは、倉庫エリアのＸ軸方向のプラス側、マイナス側への移動、倉庫エリアのＹ軸方向のプラス側、マイナス側への移動の可否をそれぞれ格納する。なお、図５においてエリアマスタテーブルは、移動条件として移動可能な場合は１を、移動不可能な場合は０を格納する。なお、壁に隣接する場合や保管棚をまたぐような場合に、当該エリアが移動不可能と指定される。
【００４６】
そして、対象物品特定部１１３は、対象物品探索処理のステップＳ７４において、指定されたエリアに隣接するエリアのうち、移動可能なエリアを、次の探索対象として特定する。
これにより、第２の実施形態にかかる物品管理システム１００は、第１の実施形態と比較して保管棚の配置などを考慮した、より厳密な移動距離の算出ができる。
【００４７】
なお、本実施形態では、マスタデータベース１１１が、隣接するエリアそれぞれについて移動の可否を示すフラグとして、移動条件を記憶する場合について説明したが、これに限られない。例えば、各エリアに関連付けて移動可能なエリアのみを格納しても良いし、移動不可能なエリアのみを格納しても良い。
【００４８】
《第３の実施形態》
次に、本発明の第３の実施形態について説明する。
本発明の第３の実施形態に係る物品管理システム１００は、ハンディターミナル型の携帯端末１２０に加えて、ハンディターミナルより大きな画面を有するタブレット端末（携帯端末）を備える。
【００４９】
図６は、本発明の第３の実施形態に係る表示情報出力部１１４が生成する表示情報の例を示す図である。
また、本発明の第３の実施形態に係る対象物品特定部１１３は、上述したステップＳ１〜ステップＳ１１の処理により対象となる物品を特定した後、当該特定した物品の位置を作業者の位置として、対象物品記憶部１１２が記憶する物品のうち特定されていない物品を順次特定する。そして、表示情報出力部１１４は、図６に示すように、倉庫の地図上に、対象物品特定部１１３が特定した順番に物品を結ぶ経路を示す表示情報を生成し、当該表示情報をタブレット端末に表示させる。
【００５０】
これにより、第３の実施形態に係る物品管理システム１００は、作業者に対してより具体的にピックアップ経路の指示を出力することができるため、作業者によるミスの発生を防ぐことができ、また経験の浅い作業者に適切に情報を提供することができる。
【００５１】
なお、タブレット型の携帯端末１２０は、物品管理装置１１０と直接通信を行って表示情報を受信しても良いし、ハンディターミナル型の携帯端末１２０を介して表示情報を受信しても良い。また、タブレット端末が読み取り部１２３を備える場合は、ハンディターミナル型の携帯端末１２０を備えない構成であっても良い。
【００５２】
以上、図面を参照してこの発明のいくつかの実施形態について詳しく説明してきたが、具体的な構成は上述のものに限られることはなく、この発明の要旨を逸脱しない範囲内において様々な設計変更等をすることが可能である。
例えば、上述した実施形態では、物品管理システム１００が物品管理装置１１０と携帯端末１２０とを備える場合について説明したが、これに限られず、例えば携帯端末１２０が上述した物品管理装置１１０の各処理部を備える構成であっても良い。
【００５３】
なお、上述の物品管理装置１１０及び携帯端末１２０は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００５４】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００５５】
１００…物品管理システム  １１０…物品管理装置  １１１…マスタデータベース  １１２…対象物品記憶部  １１３…対象物品特定部  １１４…表示情報出力部  １１５…識別情報入力部  １１６…対象物品削除部  １１７…対象物品追加部  １２０…携帯端末  １２１…表示情報入力部  １２２…表示部  １２３…読み取り部  １２４…識別情報出力部
【図１】
2014156299.tif 000003
【図２】
2014156299.tif 000004
【図３】
2014156299.tif 000005
【図４】
2014156299.tif 000006
【図５】
2014156299.tif 000007
【図６】
2014156299.tif 000008